(57)【要約】  回転する化粧品ケースであって、少なくとも１つの回転ロック手段および少なくとも１つの引張ロック手段の両方によって、合成材料のシース（２）に嵌合い、機械的に保持される外側金属ジャケット（１）を備え、１つの回転ロック手段は、金属ジャケット（１）の円筒状壁の下端で外向きに開口する切欠き（５）からなり、切欠き（５）は、シースにおける成形突起と協働して、取り付けられ、引張ロック手段は金属ジャケット（１）の円筒状壁の下部における少なくとも１つのオリフィス（７）を含み、金属ジャケットの下端とともに、シース（２）に位置する凹部に面する内向きの壁部（８）を画定する。
2019529034.tif 000002
【特許請求の範囲】
【請求項１】
回転する化粧品ケースであって、少なくとも１つの回転ロック手段（３）および少なくとも１つの引張ロック手段（４）によって、合成材料のシース（２）によって機械的に保持される外側金属ジャケット（１）を備え、１つの回転ロック手段（３）は、前記金属ジャケット（１）の円筒状壁の下端において外向きに開口する切欠き（５）からなり、前記切欠き（５）は、前記シース（２）における成形突起（６）と協働して取り付けられ、回転ロック手段（３）は、前記金属ジャケット（１）の円筒状壁の下端において外向きに開口する切欠き（５）からなり、前記切欠き（５）は、前記シース（２）における成形突起（６）と協働して取り付けられ、前記引張ロック手段（４）は前記金属ジャケット（１）の円筒状壁の下部における少なくとも１つのオリフィス（７）からなり、前記金属ジャケットの下端とともに、前記シース（２）に位置するハウジング（９）に面する内向きの壁部（８）を画定する、回転する化粧品ケース。
【請求項２】
前記切欠き（５）は台形であることを特徴とする、請求項１に記載の回転する化粧品ケース。
【請求項３】
前記金属ジャケットの前記円筒状壁に対して径方向に配置される前記切欠き（５）の横断面が、前記シース（２）の突出輪郭（６）から同様に径方向に配置される面と当接することを特徴とする、請求項１または請求項２に記載の回転する化粧品ケース。
【請求項４】
前記壁部分（８）は内向きであり、少なくとも１つの凹部（１０）を有することを特徴とする、先行する請求項のいずれか１項に記載の回転する化粧品ケース。
【請求項５】
少なくとも１つの凹部（１０）は突出した輪郭を有することを特徴とする、先行する請求項のいずれか１項に記載の回転する化粧品ケース。
【請求項６】
前記金属ジャケット（１）の内側に向けられる前記壁部（８）の上端は、前記シース（２）の前記ハウジング（９）の上端部と接触していることを特徴とする、先行する請求項のいずれか１項に記載の回転する化粧品ケース。
【請求項７】
前記金属スリーブ（１）の前記壁部分（６）の下端は前記シース（２）の前記ハウジング（９）の下端と一致することを特徴とする、先行する請求項のいずれか１項に記載の回転する化粧品ケース。
【請求項８】
１つの壁部分（６）の高さは１つのハウジング（９）の高さよりも小さいことを特徴とする、先行する請求項のいずれか１項に記載の回転する化粧品ケース。
【請求項９】
直径方向に対向して位置する２つの引張ロック手段（４）を備えることを特徴とする、先行する請求項のいずれか１項に記載の回転する化粧品ケース。
【請求項１０】
前記シース（２）は、スパイラル状のエンベロープであり、それは、凹ゾーンとして記載される第１のゾーンに対応する少なくとも１つのらせん状の溝と、らせん状の溝の２つの部分の間に配置されるゾーンに対応する、凸ゾーンとして記載される第２のゾーンとを含み、少なくとも１つのハウジング（９）が少なくとも１つの凸ゾーンとの対応関係で位置することを特徴とする、先行する請求項のいずれか１項に記載の回転する化粧品ケース。
【発明の詳細な説明】
【技術分野】
【０００１】
本発明は、リップスティックまたはリップクリームのスティックのような化粧品を収容するために使用されるタイプの回転する化粧品ケースの構成要素の回転および引張における機械的拘束に関する。
【背景技術】
【０００２】
回転する化粧品ケースは、一般的に、取り外し可能なカバーを備えており、それは下側パッケージングと対応して組み立てられる。下側パッケージングは、ケースの把持を容易にする円筒カバーの役割を果たし、スパイラル状のエンベロープに入れられるシースに通常埋め込まれるリップスティックまたはリップクリームのスティックを受けるスライダからなる機構上に嵌められる。スライダは、シースのスライドに係合してスパイラル状エンベロープのらせん状の溝の中に延びるラグを備えている。下側パッケージングを回転させると、カーソルは回転および平行移動の同時移動を行い、リップスティックまたはリップクリームへのアクセスを可能にする。
【０００３】
製品に対する美観および取り扱いの快適さを提供するために、回転機構の合成材料の同心要素は金属シースに埋め込まれる。このアセンブリの固定は一般に接着剤によって提供される。
【０００４】
接着剤の使用は、その取り扱いに関する問題に加えて、機構の適切な機能に干渉する滲みおよびバリの形成を回避するための正確な量の塗布、接着剤の硬化時間および比較的長い揮発性生成物の蒸発の問題を生じさせ、それは、特定の組立ラインの編成を必要とし、生産率を低下させる。
【０００５】
接着剤の使用に固有の欠点を解決するために、合成材料のシースを用いて金属ジャケットを保持するための機械的手段が開発された。
【０００６】
これらの要素の効果的な機械的固定は、保護カバーの取り外しまたは移動過程の終わりでの機構への過度の応力を含む、ケースの取り扱いに関連する、過剰ならびに繰り返される引出および回転による金属ジャケットの分離の問題を制限するために必要である。
【０００７】
一般的に使用されている１つの手段は合成シースに対して金属シースを打ち抜くことである。しかしながら、この機械的固定は、メンテナンスに関しては満足できるものであるが、回転機構を劣化させる危険性があり、高品質のチューブには適していない。
【発明の概要】
【課題を解決するための手段】
【０００８】
本発明は、前述の欠点を克服するために、回転および引張におけるロック手段を提供する。
【０００９】
したがって、本発明に従う回転する化粧品ケースは、少なくとも１つの回転ロック手段および少なくとも１つの引張ロック手段によって同時にプラスチックシースに嵌合および機械的に固定される外側金属ジャケットを備え、回転ロック手段は、金属ジャケットの円筒状壁の下端で外向きに開口する切欠きからなり、切欠きは、シースにおける成形突起と協働で取り付けられ、引張ロック手段は金属ジャケットの円筒状壁の下部における少なくとも１つのオリフィスからなり、金属ジャケットの下端とともに、シースに位置するハウジングに面する内向きの壁部を画定する。
【００１０】
一実施形態によれば、切欠きは台形である。
１つの特徴によれば、金属スリーブの円筒状壁に対して径方向に配された切欠きの横断面は、シースの突出輪郭から同じく径方向に配置された面と当接する。
【００１１】
壁部分は内側を向き、少なくとも１つの凹部を有し、少なくとも１つの凹部は突出する輪郭を有することに留意されたい。
【００１２】
金属ジャケットの内向きの壁部分の上端は、シースのハウジングの上端と接触することに留意されたい。
【００１３】
補足的な特徴によれば、金属ジャケットの内向きの壁部分の下端は、シースのハウジングの下端と一致する。
【００１４】
１つの壁部分の高さは１つのハウジングの高さよりも低いことにも留意されたい。
一実施形態によれば、２つの引張ロック手段が直径方向に対向して位置する。
【００１５】
別の特徴によれば、シースは、スパイラル状のエンベロープであり、それは、凹ゾーンと認められる第１のゾーンに対応する少なくとも１つのらせん状の溝と、らせん状の溝の２つの部分の間に配置されるゾーンに対応する、凸ゾーンと認められる第２のゾーンとを含み、少なくとも１つのハウジングが少なくとも１つの凸ゾーンとの対応関係で位置する。
【００１６】
本発明の他の特徴および利点は、非限定的な例として示される添付の図面を参照しながら、以下の説明から明らかになるであろう。
【図面の簡単な説明】
【００１７】
【図１ａ】一実施形態による化粧品ケースおよびその構成要素の図であり、１つの角度位置から回転する機構の正面図である。
【図１ｂ】一実施形態による化粧品ケースおよびその構成要素の図であり、別の１つの角度位置から回転する機構の正面図である。
【図２ａ】一実施形態による化粧品ケースおよびその構成要素の図であり、１つの角度位置からの金属ジャケットの正面図である。
【図２ｂ】一実施形態による化粧品ケースおよびその構成要素の図であり、別の１つの角度位置からの金属ジャケットの正面図である。
【図２ｃ】一実施形態による化粧品ケースおよびその構成要素の図であり、図２ａの拡大図である。
【図３】一実施形態による化粧品ケースおよびその構成要素の図であり、金属ジャケットの斜視図である。
【図４ａ】１つの角度位置によるスパイラル状エンベロープの正面図である。
【図４ｂ】別の１つの角度位置によるスパイラル状エンベロープの正面図である。
【発明を実施するための形態】
【００１８】
かくして、本発明による化粧品ケースは、金属ジャケット（１）の少なくとも１つの引張ロック手段（４）から独立した少なくとも１つの回転ロック手段（３）および合成材料のシース（２）を備える。
【００１９】
これら２つのロック手段（３、４）の分離は、各手段を別々に最適化することによってそれらの効果を最適化することを可能にする。
【００２０】
図示の実施形態によれば、化粧品ケースは、回転ロック手段（３）、および引張応力中に関与する力の分布を最適化するために直径方向に対向して配置される２つの引張ロック手段（４）を備える。
【００２１】
本発明による回転におけるロック手段（３）および平行移動におけるロック手段（４）は、金属ジャケット（１）および合成材料のシース（２）の両方上に位置する形状協働によるロックによって提供されることが付け加えられる。
【００２２】
回転ロック手段（３）は、担持される同心要素に対して径方向または実質的に径方向に配置される少なくとも２つの当接面の協働を中心とし、引張ロック手段（４）は、化粧品ケースの底部に同じく当接するがそれと平行または実質的に平行に配置される、すなわち回転機構の回転軸に垂直に配置される、少なくとも２つの面の接触によって導入される。
【００２３】
図示の実施形態によれば、回転ロック手段（３）は、金属ジャケット（１）の円筒状壁の下端に形成された切欠き（５）とシース（２）における成形突起（６）との協働からなり、切欠き（５）の少なくとも１つの対応の側面と成形突起（６）とが互いに当接し、各横面は、それらのそれぞれの平面が径方向または実質的に径方向を向くように、つまり機構の一般的な回転軸と鋭角をなすように、向きを付けられる。
【００２４】
成形突起（６）の全体的な輪郭は、金属ジャケット（１）の外形を超えないように意図され、すなわち、成形突起（６）の外形は、金属ジャケット（１）の外形と一致することが注記される。
【００２５】
好ましくは、切欠き（５）および成形突起（６）の当接面は、図ＸＸに示すように、機構の概ね回転軸に対して１°〜４５°の間の角度、好ましくは１°〜２０°の角度、より好ましくは５°である。
【００２６】
これらの面同士の向きは、合成材料のシース（２）上に金属ジャケット（１）を嵌める間において、成形突起（６）の周囲に切欠き（５）を容易に挿入することを可能にする。
【００２７】
一つの特徴によれば、切欠き（５）は台形である。
前述の特徴によれば、台形状の切欠き（５）の下端はテーパされており、すなわち丸みを帯びている。
【００２８】
成形突起（６）は切欠き（５）の形状に対応する形状を有すること、すなわち切欠き（５）が台形である場合、成形突起（６）も同様であり、それらのそれぞれの横面が接触して当接し、全ての回転範囲を阻止することに留意されたい。
【００２９】
切欠き（５）と成形突起（６）との協働により、特に化粧品のスティックの上昇および下降の両方の間におけるストロークの終わりの応力の間に、回転機構の両方の回転方向に回転ロック手段（３）を形成することが可能になる。
【００３０】
回転する化粧品ケースは少なくとも１つの平行移動ロック手段（４）も含むことを思い出されたい。
【００３１】
図示の実施形態によれば、平行移動ロック手段（４）は、金属ジャケット（１）の下端に位置する壁部分（８）によって提供され、それは、内側に向かって湾曲し、合成材料のシース（２）に配置される好適なハウジング（９）に埋め込まれる。
【００３２】
壁部分（８）は、金属ジャケット（１）の実質的に下端に位置するオリフィス（７）によって形成されている。したがって、壁部分（８）は、少なくともオリフィス（７）の下端と金属ジャケット（１）の下端とによって画定される。この壁部分（８）の形状は、好ましくは長手方向であり薄く、なぜならば、金属ジャケット（１）の全体的な輪郭を損なうことなくその内方向にそのねじれを許容するように可撓性であることが意図されるからである。
【００３３】
図示の実施形態によれば、オリフィス（７）は横長形状を有し、壁部分（８）は直線部分を与えるが、それは、そうでない場合もあり、つまり平行六面体形状のオリフィス（７）であり得る。
【００３４】
壁部分（８）は少なくとも１つの凹部（１０）、好ましくは少なくとも２つの凹部（１０）を有し、それ（ら）の輪郭は有利に突出していることに留意されたい。
【００３５】
金属スリーブ（１）をシース（２）の周りにともに嵌めると、壁部分（８）の上面は、ハウジング（９）の上面に接触するか、またはそれに抗して応力下におかれさえすることに留意されたい。
【００３６】
補足的な特徴によれば、壁部分（６）の高さはハウジング（９）の高さよりも小さい。これは、外側ジャケットの円筒形の輪郭を変えることなく、凹部（１０）を形成するために加えられる力を制限するためである。
【００３７】
図示の実施形態によれば、合成材料のシース（２）は、スパイラル状のエンベロープであり、それは、凹ゾーンとして記載される第１のゾーンに対応する少なくとも１つのらせん状の溝と、らせん状の溝の２つの部分の間に配置されるゾーンに対応する、凸ゾーンとして記載される第２のゾーンとを含み、少なくとも１つのハウジング（９）が少なくとも１つの凸ゾーンとの対応関係で位置する。
【図１ａ】
2019529034.tif 000003
【図１ｂ】
2019529034.tif 000004
【図２ａ】
2019529034.tif 000005
【図２ｂ】
2019529034.tif 000006
【図２ｃ】
2019529034.tif 000007
【図３】
2019529034.tif 000008
【図４ａ】
2019529034.tif 000009
【図４ｂ】
2019529034.tif 000010
【国際調査報告】
2019529034.tif 000011
2019529034.tif 000012
2019529034.tif 000013
2019529034.tif 000014
2019529034.tif 000015
2019529034.tif 000016